(57)【要約】【課題】既設の折板固定用金具のボルトのネジ部を再生利用することで、既設の折板に孔を開けることなく太陽光パネル等の被固定物を簡単に取り付けることが可能な建築用折板への被固定物の取付構造及び取付方法を提供する。【解決手段】構造物の鉄骨に固定され山部に突出状態で剣先ボルト等のボルトが設けられたタイトフレーム等の折板固定用金具と、該折板固定用金具に重ねられてボルトに固定部材で固定された折板と、該折板の表面に配設される架台ベースとを備えて、被固定物を架台ベースを介して既設の折板表面に取り付けるための建築用折板への被固定物の取付構造であって、ボルトは、設置状態のままで再生され折板表面に突出した再生ネジ部を有し、該再生ネジ部に固定した架台ベースを介して被固定物が折板表面に取り付けられる。【選択図】  図３
2015124568.tif 000002
【特許請求の範囲】
【請求項１】
構造物の鉄骨に固定され山部に突出状態でボルトが設けられた折板固定用金具と、該折板固定用金具に重ねられて前記ボルトに固定部材で固定された折板と、該折板の表面に配設される架台ベースとを備えて、被固定物を前記架台ベースを介して既設の折板表面に取り付けるための建築用折板への被固定物の取付構造であって、
前記ボルトは、設置状態のままで再生され前記折板表面に突出した再生ネジ部を有し、該再生ネジ部に固定した前記架台ベースを介して前記被固定物が折板表面に取り付けられることを特徴とする建築用折板への被固定物の取付構造。
【請求項２】
前記ボルトの再生ネジ部に筒状ナットの雌ネジ孔の一端側がねじ込まれ、該筒状ナットの雌ネジ孔の他端側に前記架台ベースがボルトで固定されていることを特徴とする請求項１に記載の建築用折板への被固定物の取付構造。
【請求項３】
前記折板固定用金具がタイトフレームであり、前記ボルトが剣先ボルトであることを特徴とする請求項１または２に記載の建築用折板への被固定物の取付構造。
【請求項４】
前記被固定物が太陽光パネルであり、該太陽光パネルが長尺状金具で形成された前記架台ベースに取付架台を介して取り付けられることを特徴とする請求項１ないし３のいずれかに記載の建築用折板への被固定物の取付構造。
【請求項５】
前記被固定物が屋根材であり、該屋根材が樹脂製もしくは木製の棒状部材からなる前記架台ベースに取り付けられることを特徴とする請求項１ないし３のいずれかに記載の建築用折板への被固定物の取付構造。
【請求項６】
構造物の鉄骨に固定され山部に突出状態でボルトが設けられた折板固定用金具と、該折板固定用金具に重ねられて前記ボルトに固定部材で固定された折板と、該折板の表面に配設される架台ベースとを備えて、被固定物を前記架台ベースを介して既設の折板表面に取り付けるための建築用折板への被固定物の取付方法であって、
前記ボルトの前記折板表面からの突出部分に塗布剤を塗布した後に、該塗布剤が塗布されたネジ部をねじ切りして再生ネジ部を形成し、該再生ネジ部に固定した前記架台ベースを介して前記被固定物が既設の折板表面に取り付けられることを特徴とする建築用折板への被固定物の取付方法。
【請求項７】
前記塗布剤が塗料であり、前記ねじ切りは電動ドリルに装着可能な取付部と該取付部に一体的に設けたネジ形成用の刃部を有するねじ切り工具の回転によって行われることを特徴とする請求項６に記載の建築用折板への被固定物の取付方法。
【発明の詳細な説明】
【技術分野】
【０００１】
本発明は、構造物の屋根等として使用される建築用折板に、太陽光パネル等の被固定物を取り付けるための取付構造及び取付方法に関する。
【背景技術】
【０００２】
一般的に、倉庫や工場、体育館等の構造物の屋根材として折板が使用されているが、この折板をＨ鋼等の鉄骨に固定する場合、重ね式とハゼ式が採用されている。重ね式は、鉄骨に溶接固定された折板固定用金具としてのタイトフレームを使用し、このタイトフレームの山部に所定寸法突出状態で固定された剣先ボルトの剣先を、折板の山部に貫通させて座金やパッキンで締め付けることにより固定するものである。また、ハゼ式は、折板の山部の接合部分にハゼ部を設け、このハゼ部と前記タイトフレームとを吊子を使用して固定するものである。
【０００３】
従来、このような折板を使用した屋根に太陽光パネルを取り付ける場合、例えば特許文献１に開示の取付構造が提案されている。この取付構造は、折板の隣接する繋ぎ部同士をハゼ締めし、この繋ぎ部を覆うように屋根上取付金具を嵌め込んでボルトとナットで固定すると共に、屋根上取付金具の平坦な載置面にボルトを突出させ、このボルトに長尺部材の長孔を挿通し、この長尺部材の上面に太陽光パネルを取り付けるようにしたものである。
【先行技術文献】
【特許文献】
【０００４】
【特許文献１】特許第３３５２６４７号公報
【発明の概要】
【発明が解決しようとする課題】
【０００５】
しかしながら、この特許文献１に開示の取付構造にあっては、屋根としての折板がハゼ式で固定されている場合には適用できるものの、折板屋根構造として最もオーソドックスな重ね式の屋根には適用できない。そこで、重ね式の屋根に太陽光パネルを取り付ける場合、太陽光パネルを固定するための新たなボルトを既設の折板（屋根）に固定し、このボルトに太陽光パネル固定用のパーツ等を取り付けることで行っている。
【０００６】
しかし、この方法にあっては、既設の折板をタイトフレームに固定している剣先ボルトのネジ部分が屋外に露出状態となっているため、剣先ボルトの折板表面から突出しているネジ部が錆びてしまい、剣先ボルト自体をそのまま使用したり取り外すこともできず、折板に新たな孔を開け、この孔を利用して新たなパネル固定用ボルトで固定する必要がある。そのため、折板への新たな孔開けで屋根に雨漏りの発生する確率が高くなると共に孔開け時に折板自体を傷め易く、かつ孔開け作業や孔開け部分のコーキング作業等も面倒になり易い等、雨漏りが無く取付作業も容易な取付構造を得ることが難しく、現実的に採用され難いのが実情である。
【０００７】
本発明は、このような事情に鑑みてなされたもので、その目的は、既設の折板固定用金具のボルトのネジ部を再生利用することで、既設の折板に孔を開けることなく太陽光パネル等の被固定物を簡単に取り付けることが可能な建築用折板への被固定物の取付構造及び取付方法を提供することにある。
【課題を解決するための手段】
【０００８】
かかる目的を達成すべく、本発明のうち請求項１に記載の発明は、構造物の鉄骨に固定され山部に突出状態でボルトが設けられた折板固定用金具と、該折板固定用金具に重ねられて前記ボルトに固定部材で固定された折板と、該折板の表面に配設される架台ベースとを備えて、被固定物を前記架台ベースを介して既設の折板表面に取り付けるための建築用折板への被固定物の取付構造であって、前記ボルトは、設置状態のままで再生され前記折板表面に突出した再生ネジ部を有し、該再生ネジ部に固定した前記架台ベースを介して前記被固定物が折板表面に取り付けられることを特徴とする。
【０００９】
また、請求項２に記載の発明は、前記ボルトの再生ネジ部に筒状ナットの雌ネジ孔の一端側がねじ込まれ、該筒状ナットの雌ネジ孔の他端側に前記架台ベースがボルトで固定されていることを特徴とする。また、請求項３に記載の発明は、前記折板固定用金具がタイトフレームであり、前記ボルトが剣先ボルトであることを特徴とする。
【００１０】
さらに、請求項４に記載の発明は、前記被固定物が太陽光パネルであり、該太陽光パネルが長尺状金具で形成された前記架台ベースに取付架台を介して取り付けられることを特徴とする。また、請求項５に記載の発明は、前記被固定物が屋根材であり、該屋根材が樹脂製もしくは木製の棒状部材からなる前記架台ベースに取り付けられることを特徴とする。
【００１１】
また、請求項６に記載の発明は、構造物の鉄骨に固定され山部に突出状態でボルトが設けられた折板固定用金具と、該折板固定用金具に重ねられて前記ボルトに固定部材で固定された折板と、該折板の表面に配設される架台ベースとを備えて、被固定物を前記架台ベースを介して既設の折板表面に取り付けるための建築用折板への被固定物の取付方法であって、前記ボルトの前記折板表面からの突出部分に塗布剤を塗布した後に、該塗布剤が塗布されたネジ部をねじ切りして再生ネジ部を形成し、該再生ネジ部に固定した前記架台ベースを介して前記被固定物が既設の折板表面に取り付けられることを特徴とする。
【００１２】
また、請求項７に記載の発明は、前記塗布剤が塗料であり、前記ねじ切りは電動ドリルに装着可能な取付部と該取付部に一体的に設けたネジ形成用の刃部を有するねじ切り工具の回転によって行われることを特徴とする。
【発明の効果】
【００１３】
本発明のうち請求項１に記載の発明によれば、折板と重ねられる折板固定用金具のボルトが、設置状態のままで再生され折板表面に突出した再生ネジ部を有し、この再生ネジ部に固定した架台ベースを介して被固定物が折板表面に取り付けられるため、既設の折板固定用金具のボルトの折板表面から突出し錆びているネジ部を新しいネジ部として再生し、この再生ネジ部を利用することにより、折板に新たに孔を開けることなく太陽光パネル等の被固定物を折板表面に簡単に取り付けることができると共に、雨漏りの発生や折板への傷付き等を確実に防止することができる。
【００１４】
また、請求項２に記載の発明によれば、請求項１に記載の発明の効果に加え、ボルトの再生ネジ部に筒状ナットの雌ネジ孔の一端側がねじ込まれ、この筒状ナットの雌ネジ孔の他端側に架台ベースがボルトで固定されているため、架台ベースを筒状ナットの長さに応じて折板表面から所定距離離して固定でき、この架台ベースを介して各種形態の被固定物を折板表面に簡単かつ確実に取り付けることができる。
【００１５】
また、請求項３に記載の発明によれば、請求項１または２に記載の発明の効果に加え、折板固定用金具がタイトフレームでありボルトが剣先ボルトであるため、折板屋根として最もオーソドックスな構造である重ね式の折板屋根に簡単に取り付けできて、被固定物の設置コストを大幅に低減させることができる。
【００１６】
さらに、請求項４に記載の発明によれば、請求項１ないし３に記載の発明の効果に加え、被固定物が太陽光パネルであり、この太陽光パネルがＣチャンネル等の長尺状金具で形成された架台ベースに取付架台を介して取り付けられるため、太陽光発電に必要な太陽光パネルを既設の構造物の折板屋根に簡単かつ低コストで設置できて、太陽光発電の推進に寄与することが可能となる。
【００１７】
また、請求項５に記載の発明によれば、請求項１ないし３に記載の発明の効果に加え、被固定物が屋根材であり、この屋根材が樹脂製もしくは木製の棒状部材からなる架台ベースに取り付けられるため、折板屋根上に波トタン等の他の屋根材を設置して二重屋根構造とすることができ、例えば既設屋根の塗装コストを不要にできる等、メンテナンスコストの低い屋根構造を得ることができる。
【００１８】
また、請求項６に記載の発明によれば、折板と重ねられる折板固定用金具のボルトの折板表面からの突出部分に塗布剤を塗布した後に、この塗布剤が塗布されたネジ部をねじ切りして再生ネジ部を形成し、この再生ネジ部に固定した架台ベースを介して被固定物が既設の折板表面に取り付けられるため、既設の折板固定用金具のボルトの折板表面から突出し錆びているネジ部を新しいネジ部として再生し、この再生ネジ部を利用することにより、折板に新たに孔を開けることのない「ノンホール工法」で、太陽光パネル等の被固定物を折板表面に簡単に取り付けることができると共に、折板屋根の雨漏りの発生や折板への傷付き等を確実に防止することができる。
【００１９】
また、請求項７に記載の発明によれば、請求項６に記載の発明の効果に加え、塗布剤が塗料で、ねじ切りが電動ドリルに装着可能な取付部と刃部を有するねじ切り工具の回転によって行われるため、塗料でねじ切り工具の回転を良好に維持しつつスムーズにねじ切りできて、再生ネジ部の形成を容易かつ安定して行うことができる。
【図面の簡単な説明】
【００２０】
【図１】本発明に係わる取付構造の一実施形態を示す太陽光パネルの設置状態の斜視図
【図２】同その側面図
【図３】同図２のＡ部の拡大断面図
【図４】同図３のＢの拡大図
【図５】同架台ベースの（ａ）が平面図、（ｂ）が（ａ）のＣ−Ｃ矢視図
【図６】同取付方法の一例を示す工程図
【図７】同その説明図
【図８】同取付架台の変形例を示す斜視図
【図９】同その断面図
【図１０】本発明に係る取付構造の他の実施形態を示す図２と同様の側面図
【図１１】同図１０のＤ部の断面図
【図１２】同その架台ベースの（ａ）が平面図、（ｂ）が（ａ）のＥ−Ｅ矢視図
【発明を実施するための形態】
【００２１】
以下、本発明を実施するための形態を図面に基づいて詳細に説明する。
図１〜図５は、本発明に係わる取付構造を太陽光パネルの折板屋根への取り付けに適用した場合の一実施形態を示している。図１に示すように、例えば工場等の屋根は、重ね式の折板屋根１で形成され、山部１ａ１と谷部１ａ２を有する所定幅で所定長さの複数枚の折板１ａが重ね式でＨ鋼等の鉄骨２（図２参照）上に後述する如く固定されている。そして、この折板屋根１の各折板１ａの表面には架台ベース３が固定されると共に、この架台ベース３に取付架台４を介して太陽光パネル５が取り付けられている。
【００２２】
すなわち、図２〜図４に示すように、前記折板１ａは、山部１ａ１と谷部１ａ２に所定幅の平坦面を有すると共に、裏面側に折板固定用金具としてのタイトフレーム６が重ねられた状態で配設され、このタイトフレーム６の山部６ａの平坦面に折板１ａの山部１ａ１の平坦面が積層状態で、剣先ボルト７と固定部材としての座金１７やパッキンにより固定されている。なお、タイトフレーム６は、折板１ａの長手方向に所定間隔で位置する鉄骨２に対応して所定間隔で配設され、鉄骨２の上面に部分溶接で固定されている。これにより、タイトフレーム６の谷部６ｂの平坦面も鉄骨２の表面に載置された状態となり、各折板１ａ（すなわち折板屋根１）自体が所定の荷重に耐え得るようになっている。
【００２３】
前記剣先ボルト７は、図３及び図４に示すように、その所定長さのネジ部７ａの先端に尖った剣先７ｂが形成され、この剣先７ｂに折板１ａの山部１ａ１が貫通することにより、折板１ａの表面から上方に所定寸法（一般的にはネジ部７ａの５〜７ネジ山程度）突出しており、この突出部分に再生ネジ部７ｃが形成されている。この再生ネジ部７ｃは、後述する如く折板１ａに固定した設置状態のままでねじ切りされることで形成される。そして、この再生ネジ部７ｃには、円筒もしくは角筒形状の筒状ナット８の雌ネジ孔８ａの一端側である下部がねじ込まれ、この筒状ナット８の雌ネジ孔８ａの他端側である上部に前記架台ベース３がワッシャー９及びボルト１０で固定されている。
【００２４】
このとき、架台ベース３は、図５に示すように、上面３ａ及び一対の側面３ｂ、３ｃを有する所定長さの断面コ字状のＣチャンネル（軽量Ｃ形鋼）で構成されて内側に空間１２が形成され、この空間１２と上面に所定間隔で設けた複数個の取付孔１３を利用し、前記ワッシャー９を介してボルト１０のネジ部を前記筒状ナット８の雌ネジ孔８ａの上部にねじ込むことで前記筒状ナット８の上面に固定されている。
【００２５】
なお、この架台ベース３に設けられる取付孔１３は、既設の折板屋根１の剣先ボルト７の固定位置のバラツキを考慮して、その直径ｄが剣先ボルト７のネジ部７ａの外径より所定寸法大きく形成されると共に、前記ワッシャー９は、中心位置に孔を有して例えば平面視正方形状に形成されている。また、架台ベース３の取付孔１３の間隔ｗは、例えば２０ｃｍに設定されると共に、架台ベース３の長さＬは、例えば１．５ｍ程度の単一長さのものを使用してコストダウンを図っても良いし、例えば１．５ｍの通常長さと、これの半分程度の始端（スタート）あるいは終端（エンド）用との２種類を設定して、各種の折板屋根１への対応性の向上を図るようにしても良い。
【００２６】
そして、この架台ベース３上の所定位置には、図１及び図２に示すように、所定長さの取付架台４が固定金具１５を介して固定されている。この取付架台４は、例えばＬ形アングルで形成され、架台ベース３の上面所定位置にボルト１４及びナット（もしくは溶接）で固定された固定金具１５に、ボルト及びナット（もしくは溶接）で固定されている。この取付架台４は、架台ベース３に対して直交する方向に複数本（例えば２本）配置され、この取付架台４上に複数枚の太陽光パネル５が隣接状態で取り付けられている。
【００２７】
なお、この例の場合は、取付架台４を長尺状のＬ形アングルと固定金具１５とで構成することにより、太陽光パネル５が折板屋根１に対して略平行となるように設置し、折板屋根１自体の傾斜を利用して太陽光の集光効果を高めるようにしたが、例えば太陽光パネル５の設置角度を折板屋根１の設置角度より大きくしたい場合は、前記取付架台４として、他の適宜の構成の傾斜用金具や固定金具等が使用されて設置される。
【００２８】
次に、前記太陽光パネル５の折板屋根１への具体的な取付方法の一例を図６及び図７等に基づいて説明する。先ず、太陽光パネル５の折板屋根１への取り付け（設置）にあたっては、折板屋根１の大きさ（面積）、太陽光パネル５の大きさ（面積）や設置枚数、各太陽光パネル５の設置角度等に応じて、使用する架台ベース３や取付架台４等を決定して準備する。また、折板屋根１の設置場所の位置を特定し、該設置場所内に位置し前記鉄骨２に対応した列の全てもしくは所定間隔毎の剣先ボルト７の折板１ａ表面から突出しているネジ部７ａに塗料１６を塗布（Ｋ０１）する。
【００２９】
この塗料１６の塗布は、例えば刷毛を使用して、図７（ａ）に示すように、既設の剣先ボルト７の剣先７ｂとネジ部７ａの突出部分に塗布することで行われ、この塗料１６で剣先ボルト７に折板１ａを固定している座金１７（及び図示しないパッキン）と、この座金１７の表面側に雨漏り防止用に塗布されているコーキング剤１８の上面が覆われることになる。塗料１６が塗布されると、この塗料１６が塗布されたネジ部７ａのネジを再生して再生ネジ部７ｃを形成（Ｋ０２）する。
【００３０】
この再生ネジ部７ｃの形成は、図７（ｂ）に示すように、取付部１９ａとネジ形成用の刃部１９ｂを有するねじ切り工具１９を使用し、取付部１９ａを正逆転操作が可能でトルクコントロール機能付きの電動ドリル（図示せず）のチャック部にチャックさせ、刃部１９ｂを塗料１６が塗布されたネジ部７ａに上方から図７（ｂ）の矢印イ、ロの如くネジ切り方向（正転方向）にねじ込む、すなわちねじ切り（タッピング）することで形成される。このとき、電動ドリルは、トルクコントロール機能で刃部１９ｂの下面が座金１７に所定圧で接触して所定のトルクになると空転するようになっている。
【００３１】
また、塗布した塗料１６や座金１７上のコーキング剤１８は、回転する工具１９の刃部１９ｂで除去されて粉状となり、除去された塗料１６と共にネジ部７ａの錆びも除去されて綺麗な再生ネジ部７ｃが形成されることになる。なお、電動ドリルが空転したら、電動ドリルの回転方向を前記ねじ切り方向と逆方向（逆転方向）に設定して、刃部１９ｂを再生ネジ部７ｃから抜き取り、これにより再生ネジ部７ｃの形成作業が終了する。
【００３２】
そして、再生ネジ部７ｃが形成されると、この再生ネジ部７ｃを利用して筒状ナット８を固定する（Ｋ０３）。この筒状ナット８の固定は、図７（ｃ）に示すように、該ナット８の雌ネジ孔８ａの下部を剣先ボルト７の再生ネジ部７ｃに矢印イ、ロの如くねじ込むことで行われ、これにより筒状ナット８が図７（ｃ）の実線で示した位置に固定される。筒状ナット８が固定されたら、この筒状ナット８の上面に架台ベース３を固定する（Ｋ０４）。
【００３３】
この架台ベース３の固定は、図７（ｄ）に示すように、筒状ナット８が架台ベース３の内側の空間１２内でかつ上面の取付孔１３が筒状ナット８の雌ネジ孔８ａの上面側に位置した状態で、取付孔１３の上面にワッシャー９を載置し、このワッシャー９の孔から、矢印イ、ロの如くボルト１０を筒状ナット８の雌ネジ孔８ａの上部にねじ込むことで行われる。これにより、剣先ボルト７の再生ネジ部７ｃに、架台ベース３が筒状ナット８とワッシャー９及びボルト１０を介して固定される。
【００３４】
次に、架台ベース３が既設の剣先ボルト７に固定されたら、この架台ベース３に取付架台４を固定する（Ｋ０５）。この取付架台４の固定は、前述したように、架台ベース３の上面３ａの所定位置に固定金具１５を固定し、この固定金具１５にボルト１４で固定することで行うことができる。そして、取付架台４が固定されたら、この取付架台４に太陽光パネル５を固定する（Ｋ０６）ことで、太陽光パネル５の折板屋根１上への取り付け（設置）作業が終了することになる。
【００３５】
なお、再生ネジ部７ｃの形成及び架台ベース３や取付架台４の固定は、鉄骨２上に位置する所定強度のタイトフレーム６に固定された剣先ボルト７に固定されることと、山部１ａ１と谷部１ａ２を有する折板１ａ自体の形状から、再生ネジ部７ｃの形成時や架台ベース３等の固定時に、折板１ａ表面に所定の荷重が加わっても、折板１ａが変形すること等はなく、太陽光パネル５が折板屋根１上に安定して取り付けられる。また、既存の折板１ａ自体への孔開けが不要であると共にその傷付きも確実に防止されることになる。
【００３６】
つまり、この取付方法によれば、既設の折板屋根１のタイトフレーム６に固定されている剣先ボルト７の折板１ａ表面からの突出部分に、設置状態のままで既存の錆びたネジ部７ａを再生して再生ネジ部７ｃを形成し、この再生ネジ部７ｃを利用し、架台ベース３、筒状ナット８、取付架台４等を介して太陽光パネル５を取り付ける、すなわち既設の折板１に孔を開けない「ノンホール工法」で太陽光パネル５を設置できることになる。
【００３７】
このように、前記太陽光パネル５の取付構造によれば、タイトフレーム６の剣先ボルト７が、設置状態のままで再生された再生ネジ部７ｃを有し、この再生ネジ部７ｃに固定した架台ベース３を介して太陽光パネル５が折板屋根１上に取り付けられるため、既設の折板１ａ表面から突出し錆びている剣先ボルト７のネジ部７ａを新しいネジ部として再生し、この再生ネジ部７ｃを利用することで、各折板１ａに新たに孔を開けることなく太陽光パネル５を折板屋根上１に簡単に取り付けることができると共に、折板屋根１の雨漏り発生や折板１ａ自体への傷付き等を確実に防止することができる。
【００３８】
また、剣先ボルト７の再生ネジ部７ｃに筒状ナット８の雌ネジ孔８ａの下部がねじ込まれ、この筒状ナット８の雌ネジ孔８ａの上部に架台ベース３がボルト１０とワッシャー９で固定されるため、架台ベース３を筒状ナット８の長さに応じて折板１ａ表面から所定距離離して固定することができ、この架台ベース３を介して太陽光パネル５を所定形態で簡単かつ確実に取り付けることができる。
【００３９】
さらに、折板１ａがタイトフレーム６の剣先ボルト７に固定される構造であるため、折板屋根１として最もオーソドックスな構造である重ね式の折板屋根１に簡単かつ確実に取り付けることができて、太陽光パネル５の設置コストを大幅に低減させることができる等、太陽光発電の推進に寄与することが可能となる。
【００４０】
また、既設の剣先ボルト７の突出部分に塗料１６が塗布され、トルクコントロール機能付きの電動ドリルに、取付部１９ａと刃部１９ｂを有するねじ切り工具１９を装着して、電動ドリルを正転及び逆転させながら錆びたネジ部７ａに再生ネジ部７ｃを形成するため、再生ネジ部７ｃを簡単かつ確実に形成することができてその作業（タッピンク作業）を容易に行うことができる等、太陽光パネル５の取付作業を一層簡単かつ安価に行うことができる。
【００４１】
ところで、前記実施形態においては、取付架台４を長尺状のＬ形アングルと固定金具１５とで構成したが、例えば図８及び図９に示すように構成することもできる。この取付架台３０は、所定長さの断面略コ字状でその上面に太陽光パネル５が取り付け可能な取付ベース３２と、前記架台ベース３に固定され取付ベース３２が嵌め込み固定される係合部材３１とで構成されている。
【００４２】
このうち前記取付ベース３２は、鋼板もしくはアルミ製で、上面３２ａと両側面３２ｂ及び両側面３２ｂの反上面３２ａ側端部に内側にそれぞれ所定長さ延設された一対の係合面３２ｃとを有している。また、係合部材３１は、鋼板もしくはアルミ製で所定幅、所定長さの両端部に取付孔３３が形成された取付板３１ａと、この取付板３１ａより長さが短く取付板３１ａの長手方向中央位置上面に溶接固定されたガイド板３１ｂと、このガイド板３１ｂより長く取付板３１ａより短く形成されてガイド板３１ｂ上に溶接固定された係合板３１ｃとを有している。
【００４３】
このとき、ガイド板３１ｂの長さは、前記取付ベース３２の一対の係合面３２ｃ間の寸法と同一かやや小さく設定され、またその厚さは係合面３２ｃの厚さと同一かやや大きく設定されている。また、係合板３１ｃの長さは、一対の係合面３２ｃ間の寸法より大きく、両側面３２ｂの内寸法より所定寸法小さく設定されている。
【００４４】
そして、前記係合部材３１は、図９に示すように、取付板３１ａの前記取付孔３３を利用して、ワッシャー３４とボルト３５及びナット３６（もしくは溶接等）により架台ベース３の上面３ａ上に固定され、この係合部材３１が固定された架台ベース３が折板屋根１上に例えば所定間隔を有して２本平行に固定される。この固定された取付部材３１のガイド板３１ｂを利用して、図８の矢印ハの如く、取付ベース３２の係合面３２ｃ上に嵌め込む。これにより、図９に示すように、係合部材３１の係合板３１ｃと取付ベース３２の係合面３２ｃとが係合した状態となり、取付ベース３２が係合部材３１を介して架台ベース３に固定されることになる。この架台ベース３に固定された例えば２本の取付ベース３２上に太陽光パネル５を取り付けることで設置作業が終了する。
【００４５】
この例の取付架台３０を使用した場合、取付ベース３２が取付部材３１に嵌め込み式に固定（取付）可能であることから、ボルト等の部材を減らした状態で固定できると共に、固定作業自体を簡単に行うことができて、部材コストや作業コストの低減化を図り、設置コストを低く抑えることが可能になる。なお、前記取付ベース３２の長さは、前記架台ベース３と同様に単一長さでも良いし複数種類設定しても良い。
【００４６】
図１０〜図１２は、本発明に係わる取付構造の他の実施形態を示している。なお、前記実施形態と同一部位には、同一符号を付して説明する。この実施形態の特徴は、折板屋根１上に、被固定物としての屋根材２１を取り付けることで、折板屋根１を二重屋根とした点にある。すなわち、図１０及び図１１に示すように、既設の折板屋根１の前記剣先ボルト７に、前記実施形態と同様に再生ネジ部７ｃを形成し、この再生ネジ部７ｃに、架台ベースとしての所定長さの棒状部材２２を固定する。このとき、棒状部材２２は、図１２に示すように、釘やスクリュウネジ等の打ち込みやねじ込みが可能な所定強度を有する樹脂材により形成され、タイトフレーム６の剣先ボルト７と対応した位置には、上下方向に貫通した雌ネジ孔２２ａが形成されている。
【００４７】
そして、図１１に示すように、この雌ネジ孔２２ａの下部に、剣先ボルト７の再生ネジ部７ｃがねじ込まれると共に、雌ネジ孔２２ａの上部にワッシャー９を介してボルト１０がねじ込まれることにより、棒状部材２２が折板１ａの表面上に固定される。この棒状部材２２の上面に、塩ビトタンや鋼板トタン等の屋根材２１が、釘２３（図１１参照）の打ち込みやスクリュウネジのねじ込みにより直接固定される。つまり、この実施形態の場合、既設の折板屋根１の上に、別の屋根材２１からなる第２の屋根が設置された構造、すなわち二重屋根構造が得られることになる。
【００４８】
なお、この実施形態において、棒状部材２２は樹脂製に限らず釘２３等の打ち込み等が可能で安価な木製の棒状部材を使用しても良いし、棒状部材２２の剣先ボルト７への取り付けも、雌ネジ孔２２ａに直接ねじ込む構造に限らず、例えば図１２（ｂ）の二点鎖線で示すように、棒状部材２２の取付位置に雌ネジ孔を有するインサート２４を埋設する等し、このインサート２４の雌ネジ孔に剣先ボルト７の再生ネジ部７ｃやボルト１０をねじ込むようにしても良い。
【００４９】
また、棒状部材２２の雌ネジ孔２２ａの上面に、図１２（ｂ）の二点鎖線で示すように、凹部２５を形成し、この凹部２５内にワッシャー９とボルト１０の頭部を収容して棒状部材２２の上面を平坦面として屋根板２１を取り付けるようにしても良い。さらに、波形の屋根材２１の棒状部材２２に対する取付方向も、図１０の二点鎖線で示すように、折板１ａの方向と直交させる等、折板屋根１の形態に応じて適宜の形態を採用することができる。
【００５０】
この実施形態の取付構造によれば、被固定物が屋根材２１であり、この屋根材２１が樹脂製もしくは木製等の棒状部材２２に直接取り付けられるため、折板屋根１上に新たな屋根材２１を設置して二重屋根構造とすることができ、例えば既設の折板屋根１を塗装することなく、新たな屋根を設置できる。その結果、折板屋根１の塗装に伴う足場や防塵ネットの設置が不要になる等、折板屋根１のメンテナンスコストを大幅に低減させることができ、特に、塗装コストを抑えたい住宅以外の倉庫や工場等の折板屋根１に好適に適用することができる。
【００５１】
また、既設の古くなった折板屋根１上に新しい屋根材２１が設置されるため、古くなった構造物に新しい感覚の屋根を簡単かつ低コストで設置することができる。この実施形態においても、既設の折板屋根１に取付用の孔を開ける必要がなく、既設の剣先ボルト７を使用して屋根材２１を取り付けできて、折板屋根１の雨漏りの防止や取付作業の容易化が図れる等、前記実施形態の取付構造と同様の作用効果が得られることは言うまでもない。
【００５２】
なお、前記各実施形態においては、建築用折板が屋根材として使用される場合について説明したが、例えば構造物の垂直に設置される外壁材として使用される建築用折板にも適用できるし、各折板の固定も剣先ボルトを使用した構造に限らず、剣先を有さない一般的なボルトを使用した構造にも適用できる。また、前記各実施形態においては、剣先ボルト７のネジ部７ａが屋外での長年の露出（設置）により錆びている場合に、このネジ部７ａに再生ネジ部７ｃを形成し、筒状ナット８を介して架台ベース３を固定するようにしたが、本発明は、例えば折板屋根１の設置期間が比較的短く、剣先ボルト７のネジ部７ａが錆びていない場合に、再生ネジ部７ｃを形成することなくネジ部７ａをそのまま使用し、筒状ナット８を介して架台ベース３を固定する構造にも適用できることは言うまでもない。
【００５３】
さらに、前記各実施形態における、架台ベース３としてのＣチャンネルや棒状部材２２の材質や形状、取付架台４、折板屋根１の山部１ａ１や谷部１ａ２の幅等の形態、剣先ボルト７のネジ部７ａに塗布される塗料、折板屋根１上に取り付けられる被固定物の形態等は一例であって、例えば剣先ボルト７のネジ部７ａに塗料以外の潤滑剤や各種合成剤を塗布する等、本発明に係わる各発明の要旨を逸脱しない範囲において適宜に変更することができる。
【産業上の利用可能性】
【００５４】
本発明は、複数枚の折板を折板固定用金具を利用して重ね式で設置した建築用折板に、各種被固定物を取り付ける場合の全ての取付構造に利用できる。
【符号の説明】
【００５５】
１・・・・・・・折板屋根
１ａ・・・・・・折板
１ａ１・・・・・山部
１ａ２・・・・・谷部
２・・・・・・・鉄骨
３・・・・・・・架台ベース
４・・・・・・・取付架台
５・・・・・・・太陽光パネル
６・・・・・・・タイトフレーム
７・・・・・・・剣先ボルト
７ａ・・・・・・ネジ部
７ｂ・・・・・・剣先
７ｃ・・・・・・再生ネジ部
８・・・・・・・筒状ナット
８ａ・・・・・・雌ネジ孔
９・・・・・・・ワッシャー
１０・・・・・・ボルト
１２・・・・・・空間
１３・・・・・・取付孔
１５・・・・・・固定金具
１６・・・・・・塗料
１７・・・・・・座金
１８・・・・・・コーキング剤
１９・・・・・・ねじ切り工具
１９ａ・・・・・取付部
１９ｂ・・・・・刃部
２１・・・・・・屋根材
２２・・・・・・棒状部材
２２ａ・・・・・雌ネジ孔
２３・・・・・・釘
２４・・・・・・インサート
３０・・・・・・取付架台
３１・・・・・・係合部材
３２・・・・・・取付ベース
【図１】
2015124568.tif 000003
【図２】
2015124568.tif 000004
【図３】
2015124568.tif 000005
【図４】
2015124568.tif 000006
【図５】
2015124568.tif 000007
【図６】
2015124568.tif 000008
【図７】
2015124568.tif 000009
【図８】
2015124568.tif 000010
【図９】
2015124568.tif 000011
【図１０】
2015124568.tif 000012
【図１１】
2015124568.tif 000013
【図１２】
2015124568.tif 000014